(57)【要約】【課題】布帛の表面を適切に保つことのできる布帛搬送装置及びインクジェット記録装置を提供する。【解決手段】布帛搬送装置は、布帛を載置して所定方向に移動させる搬送ベルト（１２）と、搬送ベルト（１２）上の布帛を搬送ベルト（１２）に対して押圧する第１ローラー（１６）と、を備え、第１ローラー（１６）は、搬送ベルト（１２）による搬送対象の布帛と摩擦帯電極性が同極である。【選択図】図２
2020015611.tif 000002
【特許請求の範囲】
【請求項１】
布帛を載置して所定方向に移動させる搬送部材と、
前記搬送部材上の布帛を当該搬送部材に対して押圧する第１のローラーと、
を備え、
前記第１のローラーは、前記搬送部材による搬送対象の布帛と摩擦帯電極性が同極である
ことを特徴とする布帛搬送装置。
【請求項２】
前記第１のローラーよりも前記所定方向について上流側に設けられた第２のローラーを備え、
前記第１のローラーによる前記布帛の前記搬送部材に対する押圧力は、前記第２のローラーによる前記布帛の前記搬送部材に対する押圧力よりも小さい
ことを特徴とする請求項１記載の布帛搬送装置。
【請求項３】
前記第２のローラーの表面は、フッ素樹脂又はシリコーンを含む材料からなることを特徴とする請求項２記載の布帛搬送装置。
【請求項４】
前記搬送部材の前記布帛が載置される搬送面には、前記布帛を粘着させる粘着剤が塗布されていることを特徴とする請求項１〜３のいずれか一項に記載の布帛搬送装置。
【請求項５】
前記第１のローラーの表面は、ナイロン系樹脂素材からなることを特徴とする請求項１〜４のいずれか一項に記載の布帛搬送装置。
【請求項６】
前記第１のローラーは、自重により布帛を押圧するように保持されていることを特徴とする請求項１〜５のいずれか一項に記載の布帛搬送装置。
【請求項７】
前記第１のローラーによる前記布帛の押圧力を調整する押圧調整部を備えることを特徴とする請求項１〜５のいずれか一項に記載の布帛搬送装置。
【請求項８】
前記第１のローラーによる押圧方向とは反対向きの動きを規制する規制部を備えることを特徴とする請求項１〜７のいずれか一項に記載の布帛搬送装置。
【請求項９】
前記搬送部材の前記布帛が載置される搬送面から離隔する方向へ前記第１のローラーを退避させる退避動作部を備えることを特徴とする請求項１〜８のいずれか一項に記載の布帛搬送装置。
【請求項１０】
前記搬送部材の前記布帛が載置される搬送面から離隔する方向へ前記第１のローラーを退避させる退避動作部を備え、
前記退避動作部は、前記第２のローラーと連動して前記第１のローラーを退避させる
ことを特徴とする請求項２又は３記載の布帛搬送装置。
【請求項１１】
請求項１〜１０のいずれか一項に記載の布帛搬送装置と、
搬送される布帛に対してインクを吐出する記録動作部と、
を備えることを特徴とするインクジェット記録装置。
【発明の詳細な説明】
【技術分野】
【０００１】
この発明は、布帛搬送装置及びインクジェット記録装置に関する。
【背景技術】
【０００２】
従来、種々の媒体に対してインクを吐出して画像や被膜などを形成するインクジェット記録装置がある。媒体には、布帛が含まれる。
【０００３】
布帛に対するインクジェット記録装置としては、長尺の布帛を搬送ベルトに対して押圧ローラーで押圧して平坦に粘着させ、当該搬送ベルトを移動させることで布帛を搬送させながら、当該布帛上にインクを着弾させて画像などを形成させるものが知られている（例えば、特許文献１）。
【先行技術文献】
【特許文献】
【０００４】
【特許文献１】特開平９−２５４３６６号公報
【発明の概要】
【発明が解決しようとする課題】
【０００５】
しかしながら、布帛を搬送する場合、布帛と接触するローラーとの間の接触及び剥離に応じて布帛とローラーとの間に静電気が発生する。この静電気によって布帛の表面に毛羽などの立ち上がりが生じ、その表面を適切に保つことができないという課題がある。
【０００６】
この発明の目的は、布帛の表面を適切に保つことのできる布帛搬送装置及びインクジェット記録装置を提供することにある。
【課題を解決するための手段】
【０００７】
上記目的を達成するため、請求項１記載の発明は、
布帛を載置して所定方向に移動させる搬送部材と、
前記搬送部材上の布帛を当該搬送部材に対して押圧する第１のローラーと、
を備え、
前記第１のローラーは、前記搬送部材による搬送対象の布帛と摩擦帯電極性が同極である
ことを特徴とする布帛搬送装置である。
【０００８】
また、請求項２記載の発明は、請求項１記載の布帛搬送装置において、
前記第１のローラーよりも前記所定方向について上流側に設けられた第２のローラーを備え、
前記第１のローラーによる前記布帛の前記搬送部材に対する押圧力は、前記第２のローラーによる前記布帛の前記搬送部材に対する押圧力よりも小さい
ことを特徴とする。
【０００９】
また、請求項３記載の発明は、請求項２記載の布帛搬送装置において、
前記第２のローラーの表面は、フッ素樹脂又はシリコーンを含む材料からなることを特徴とする。
【００１０】
また、請求項４記載の発明は、請求項１〜３のいずれか一項に記載の布帛搬送装置において、
前記搬送部材の前記布帛が載置される搬送面には、前記布帛を粘着させる粘着剤が塗布されていることを特徴とする。
【００１１】
また、請求項５記載の発明は、請求項１〜４のいずれか一項に記載の布帛搬送装置において、
前記第１のローラーの表面は、ナイロン系樹脂素材からなることを特徴とする。
【００１２】
また、請求項６記載の発明は、請求項１〜５のいずれか一項に記載の布帛搬送装置において、
前記第１のローラーは、自重により布帛を押圧するように保持されていることを特徴とする。
【００１３】
また、請求項７記載の発明は、請求項１〜５のいずれか一項に記載の布帛搬送装置において、
前記第１のローラーによる前記布帛の押圧力を調整する押圧調整部を備えることを特徴とする。
【００１４】
また、請求項８記載の発明は、請求項１〜７のいずれか一項に記載の布帛搬送装置において、
前記第１のローラーによる押圧方向とは反対向きの動きを規制する規制部を備えることを特徴とする。
【００１５】
また、請求項９記載の発明は、請求項１〜８のいずれか一項に記載の布帛搬送装置において、
前記搬送部材の前記布帛が載置される搬送面から離隔する方向へ前記第１のローラーを退避させる退避動作部を備えることを特徴とする。
【００１６】
また、請求項１０記載の発明は、請求項２又は３記載の布帛搬送装置において、
前記搬送部材の前記布帛が載置される搬送面から離隔する方向へ前記第１のローラーを退避させる退避動作部を備え、
前記退避動作部は、前記第２のローラーと連動して前記第１のローラーを退避させる
ことを特徴とする。
【００１７】
また、請求項１１記載の発明は、
請求項１〜１０のいずれか一項に記載の布帛搬送装置と、
搬送される布帛に対してインクを吐出する記録動作部と、
を備えることを特徴とするインクジェット記録装置である。
【発明の効果】
【００１８】
本発明に従うと、布帛搬送装置において、布帛の表面を適切に保つことができるという効果がある。
【図面の簡単な説明】
【００１９】
【図１】インクジェット記録装置の全体構成を示す概略図である。
【図２】第１ローラー、第２ローラー及び第３ローラーの部分を拡大した正面図である。
【図３】第１ローラー及び第２ローラーに係る構成の変形例を示す図である。
【発明を実施するための形態】
【００２０】
以下、本発明の実施の形態を図面に基づいて説明する。
図１は、本実施形態のインクジェット記録装置１の全体構成を示す概略図である。
【００２１】
このインクジェット記録装置１は、搬送部１０と、記録動作部３０と、剥離動作部５０などを備える。
【００２２】
本実施形態の布帛搬送装置である搬送部１０は、駆動ローラー１１と、搬送ベルト１２（搬送部材）と、従動ローラー１３と、搬送モーター１４と、第１ローラー１６（第１のローラー）と、第２ローラー１７（第２のローラー）と、第３ローラー１８などを有する。
【００２３】
搬送ベルト１２は、無端状部材であり、駆動ローラー１１及び従動ローラー１３の間で架け渡され、搬送モーター１４の駆動によって駆動ローラー１１が回転動作するのに従って周回経路に沿って周回移動する。この搬送ベルト１２の外周面を搬送面として記録動作部３０に対して所定の搬送方向（所定方向）に相対移動させることで、搬送部１０は、搬送面上に載置した記録媒体Ｍ（後述のように布帛）を当該搬送方向に所定の搬送速度で移動させる搬送動作を行う。搬送ベルト１２としては、駆動ローラー１１及び従動ローラー１３との接触面で柔軟に屈曲し、かつ確実に記録媒体Ｍを支持する材質のものが用いられ、例えば、ゴムなどの樹脂製のベルトが挙げられる。従動ローラー１３は、搬送ベルト１２の移動に伴って回転する。
【００２４】
この搬送ベルト１２は、載置される記録媒体Ｍの浮き上がりを防止するように形成、処理されている。例えば、搬送ベルト１２の表面（搬送面）には、記録媒体Ｍを粘着させる粘着剤が塗布されている。記録媒体Ｍは、記録動作部３０による画像記録動作が行われる画像記録位置よりも搬送方向について上流側で搬送面に接触し、第２ローラー１７及び第３ローラー１８の間に挟まれて押圧され、しわなどが伸ばされて、搬送面上に粘着する。ついで、記録媒体Ｍは、第１ローラー１６により搬送面に軽く押圧されて、その表面に生じている毛羽立ちや布帛端部の搬送ベルト１２からの立ち上がり（まとめて毛羽立ち等と記す）が抑制される。
【００２５】
記録媒体Ｍには、搬送経路（すなわち、記録媒体Ｍが搬送面に粘着されてから剥離されるまでの移動経路）上で記録動作部３０によりその表面に画像が記録される。記録媒体Ｍは、画像の記録後に剥離動作部５０の動作によって剥離ローラー５１により搬送ベルト１２から離隔する方向（図面上方）に所定の強さ以上で引っ張られることで搬送面から引き剥がされて剥離される。粘着剤は、定期的に又は粘着状況に応じて不定期にユーザーや管理者などにより塗布されればよい。
【００２６】
記録媒体Ｍとしては、ここでは、例えば、羊毛、絹、綿、レーヨン、麻を含む布帛である。記録媒体Ｍ上に適宜な間隔で記録された複数の画像は、剥離動作部５０の動作によって当該記録媒体Ｍが搬送面から剥離された後、図示略の後処理装置で乾燥（インクの定着）がなされ、また、巻取り若しくは振り落としがなされ、及び／又は各々裁断される。
【００２７】
搬送モーター１４は、図示略の制御部により制御されて、所定の回転速度で駆動ローラー１１を回転動作させる。搬送モーター１４は、駆動ローラー１１を通常の搬送方向とは反対方向に逆回転させることも可能となっている。これにより、搬送ベルト１２は、駆動ローラー１１の回転速度に応じた搬送速度で記録媒体Ｍを搬送する。
【００２８】
第１ローラー１６は、軽量の押圧ローラーであり、搬送ベルト１２に対して記録媒体Ｍを押圧し、毛羽立ち等を抑制して表面を平らにする。
【００２９】
第２ローラー１７は、搬送面との間で記録媒体Ｍを挟むことで押圧し、表面のしわや搬送面からの浮き上がりなどを除去する。第２ローラー１７による記録媒体Ｍへの押圧力は、第１ローラー１６による押圧力よりも大きい。
【００３０】
第３ローラー１８は、搬送ベルト１２を支持し、第２ローラー１７による記録媒体Ｍの押圧時に搬送ベルト１２及び当該搬送ベルト１２上の記録媒体Ｍが押圧方向にたわむのを防ぐバックアップローラーである。第３ローラー１８は、ここでは、接触する搬送ベルト１２の移動に応じて回転する従動ローラーである。
【００３１】
記録動作部３０は、ノズルからインクを吐出して記録媒体Ｍの表面（搬送面に接する側とは反対側の面）に着弾させることで画像を記録する記録動作を行う。記録動作部３０は、複数の異なる色のインクを吐出可能であってよい。吐出可能な色の数やインクの色の種別は、特に限定されるものではない。記録動作部３０は、例えば、イエロー、マゼンタ、シアン、黒色の４色のインクをそれぞれ吐出する４つのヘッドユニット（図示略）を備える。これらのヘッドユニットは、いずれも搬送面に平行な面内にノズルが一次元又は二次元配列され、その配列範囲のうち幅方向の範囲が搬送ベルト１２により搬送され得る記録媒体Ｍの記録可能幅に応じて定められているラインヘッドであるが、これに限られるものではない。
【００３２】
剥離動作部５０は、搬送部１０の搬送ベルト１２の搬送面に粘着されて搬送された記録媒体Ｍを搬送ベルト１２から適切な位置で引き剥がして図示略の後処理装置へ送る。剥離動作部５０は、剥離ローラー５１と、剥離モーター５２などを備える。
【００３３】
剥離ローラー５１は、搬送ベルト１２に粘着した状態で搬送されてきた記録媒体Ｍを剥離モーター５２による回転動作に応じて所定の圧力で搬送ベルト１２の外周面から上方へ引っ張ることで、記録媒体Ｍを搬送面から引き剥がして後処理装置へ送る。剥離ローラー５１の表面には、記録媒体Ｍとの摩擦が大きいものが用いられるとよい。
【００３４】
剥離モーター５２は、制御信号に応じた回転速度で剥離ローラー５１を回転動作させる。通常では、剥離モーター５２は、記録媒体Ｍの搬送速度に同期した速度で記録媒体Ｍを引き上げるように剥離ローラー５１を回転させる。
【００３５】
次に、第１ローラー１６、第２ローラー１７及び第３ローラー１８について詳しく説明する。
図２は、第１ローラー１６、第２ローラー１７及び第３ローラー１８の部分を拡大した正面図である。
【００３６】
図２（ａ）に示すように、第３ローラー１８は、通常では、固定されて、搬送ベルト１２の高さを維持する。第３ローラー１８と搬送ベルト１２との接触位置の高さは、駆動ローラー１１から搬送ベルト１２が離れる点と、従動ローラー１３に搬送ベルト１２が接触する点とを結んだ線上となるように適宜調整可能であってよい。
【００３７】
第２ローラー１７は、回転軸部１７１の周りを回転動作する。ここでは、回転軸部１７１は、搬送ベルト１２の幅方向について両端に設けられた支持部１９１に保持された腕部１９２に対して固定されている。腕部１９２は、図示略のエアシリンダーにより支持部１９１に対して、第３ローラー１８の中心と第２ローラー１７の中心とを含む直線方向、ここでは、上下方向に移動可能とされている。記録媒体Ｍの厚さと、第２ローラー１７の高さとに応じて、記録媒体Ｍに対する押圧力が定められる。ここでは、搬送ベルト１２上の浮きやしわを除去するのに十分な押圧力となるように定められる。
【００３８】
第２ローラー１７の表面は、耐久性が高く、かつ搬送ベルト１２の表面に塗布されている粘着剤が剥がれたり変質したりといった劣化を生じさせない材質とされる。第２ローラー１７の表面の材質（材料）としては、ここでは、例えば、フッ素樹脂やシリコーンなどが主として含まれる。なお、これらの表面素材は、第２ローラー１７の表面全面に設けられている場合に限られず、筋状、メッシュ状、格子状などで適宜な割合以上で設けられていてもよい。
【００３９】
これらフッ素樹脂やシリコーンは、他の誘電体との接触、摩擦により負に帯電しやすい材質であり、例えば、紙（普通紙）を基準として、帯電列において当該紙よりもマイナス側にある。ここでは、このような材質を、摩擦帯電極性が負極であるとする。これに対し、記録媒体Ｍに用いられる布帛、特に、上記した羊毛、絹、レーヨンなどは、他の誘電体との接触、摩擦により正に帯電しやすい材質であり、同様に紙を基準として帯電列において当該紙よりもプラス側にある。ここでは、このような材質を、摩擦帯電極性が正極であるとする。したがって、押圧により浮きやしわが除去されても、剥離時に静電気が生じやすく、これに応じて布帛の毛羽立ち等が生じやすい。この毛羽立ち等は、記録画像の画質劣化につながる。さらに、これらの毛羽立ち等により搬送面から上方に立ち上がった布帛の繊維が記録動作部３０の底面（記録媒体Ｍや搬送ベルト１２と対向する面）などに接触することで記録動作部３０を傷つけて劣化させる場合がある。
【００４０】
このインクジェット記録装置１では、記録媒体Ｍが搬送面に載置されている範囲内で第２ローラー１７よりも搬送方向について下流側に第１ローラー１６が設けられることで、布帛の毛羽立ち等を抑制する。この第１ローラー１６の表面は、例えば、主にナイロン系樹脂素材で被覆されている。ナイロン系樹脂素材は、摩擦帯電極性が正極の材質であり、搬送対象となる上記の各布帛と同極（紙に対して同じ側）である。このように、帯電列において各布帛と同極、特に、帯電列において近い位置にあるナイロン系樹脂素材と当該布帛の接触／剥離では、大きな静電気が発生しづらい。第１ローラー１６よりも搬送方向について上流側に設けられた第２ローラー１７による押圧後、布帛をこのような第１ローラー１６により改めて押圧することで、布帛の毛羽立ち等を抑制する。第１ローラー１６の表面は、第２ローラー１７と同様に、全体が一様にナイロン系樹脂素材で被覆されている必要はなく、一部分であってもよい。また、表面にエンボス加工などによる凹凸を有していてもよい。
【００４１】
一方で、ナイロン系樹脂素材は、搬送面上の粘着剤に対してフッ素樹脂やシリコーンよりも影響が大きい。第１ローラー１６の押圧による搬送ベルト１２上の粘着剤の劣化を抑制するため、ここでは、第１ローラー１６の押圧力を第２ローラー１７の押圧力よりも小さいものとする。すなわち、浮き上がりやしわなどは第２ローラー１７により除去されるので、第１ローラー１６は、毛羽立ち等が抑えられさえすればよい。
【００４２】
第１ローラー１６は、その回転軸部１６１が、搬送ベルト１２の幅方向について両端に設けられて固定された保持部１９３の溝部の間に架け渡されて保持されている。第１ローラー１６は、溝部内で上下方向に移動可能となっており、溝部の底面が搬送面よりも鉛直方向について下側に固定されることで、第１ローラー１６の表面と記録媒体Ｍ（及び搬送ベルト１２の搬送面）とが接触して、自重により記録媒体Ｍを押圧する。
【００４３】
図２（ｂ）に示すように、保持部１９３は、規制部１９４（押圧調整部）を有していてもよい。規制部１９４は、第１ローラー１６の回転軸部１６１を上側から押さえて、記録媒体Ｍの有無や凹凸などに応じたとびはねなど、第１ローラー１６の一時的な上方へ（押圧方向とは反対向き）の移動を規制することにより、規制部として機能する。この規制部１９４は、第１ローラー１６の下方への押圧力を大きく上昇させない範囲で固定可能であってよい。これにより、第１ローラー１６は、安定して継続的に記録媒体Ｍを押圧する。
【００４４】
あるいは、規制部１９４は、図示略のモーターやばねなどの弾性部材によって第１ローラー１６の回転軸部１６１を設定圧力で下向きに押圧することが可能であってもよい。これにより、第１ローラー１６の押圧力を材質などに応じて適切な値に調整することができる。また、回転軸部１６１におもりが取り付けられることでその自重（すなわち押圧力）が調整されてもよい。おもりの着脱は、ユーザーによって手動でなされてもよい。これらにより、規制部１９４は、押圧調整部として機能する。
【００４５】
保持部１９３は、退避動作部として、支持部１９１に対して相対的に上方に移動させることが可能であってもよい。第１ローラー１６の回転軸部１６１が溝部の底面に接触した状態で保持部１９３が上方（搬送面から離隔する方向）に移動されることで、第１ローラー１６は、記録媒体Ｍ及び搬送面から離隔、退避される。
【００４６】
［変形例］
図３は、図２に示した第１ローラー１６及び第２ローラー１７に係る構成の変形例を示す図である。
【００４７】
この変形例では、図３（ａ）に示すように、腕部１９２ａに対して連動固定板１９５が固定されており、この連動固定板１９５に第２ローラー１７の回転軸部１７１が固定されている。また、連動固定板１９５には、上下方向に延びる開口１９２１が設けられており、第１ローラー１６の回転軸部１６１がこの開口１９２１の内部で上下に移動可能となっている。
【００４８】
また、図３（ｂ）に示すように、第１ローラー１６が開口１９２１の底部に接した状態で更に連動固定板１９５が上方に移動されることで、第１ローラー１６は、第２ローラー１７と連動して搬送面及び記録媒体Ｍから離隔されて退避される。このような退避動作は、画像記録動作の中断時などに、制御部の制御に応じて毎回行われてもよいし、所定時間以上画像記録動作や搬送動作が停止した場合に行われてもよい。また、これに加えて、ユーザーが手動で退避させることが可能であってもよい。
【００４９】
なお、この変形例では、規制部１９４を示していないが、規制部１９４が設けられていてもよい。この場合、規制部１９４は、連動固定板１９５などの上下動作に連動して第１ローラー１６の軸を上方から抑えたり退避されたりしてもよいし、所定の力以上で上向きに押し上げることで押し退けられる構造であってもよい。あるいは、単純にインクジェット記録装置１のユーザーが手動で規制部１９４を移動させてもよい。
【００５０】
以上のように、布帛搬送装置の実施形態である本実施形態の搬送部１０は、布帛を載置して所定方向に移動させる搬送ベルト１２と、搬送ベルト１２上の布帛を当該搬送ベルト１２に対して押圧する第１ローラー１６と、を備える。第１ローラー１６は、搬送ベルト１２による搬送対象の布帛と摩擦帯電極性が同極である。
このように、従来よりも布帛とローラーの帯電特性を近づけることで、布帛と第１ローラー１６との接触／剥離により生じる静電気に応じた布帛の毛羽や端部などの立ち上がりを抑えることができるので、布帛の表面を適切に保つことができる。そして、インクジェット記録装置１において、記録動作部３０のノズル面を傷つけたり、他の部分に絡まったり、吐出されたインクの付着に悪影響を及ぼしたりといった事態の発生を防ぐことができる。
【００５１】
また、搬送部１０は、第１ローラー１６よりも記録媒体Ｍの搬送範囲における搬送方向について上流側に設けられた第２ローラー１７を備える。第１ローラー１６による記録媒体Ｍの搬送ベルト１２に対する押圧力は、第２ローラー１７による記録媒体Ｍの搬送ベルト１２に対する押圧力よりも小さい。
このように、記録媒体Ｍのしわや浮き上がりの除去に第２ローラー１７を用い、第１ローラー１６での押圧は、毛羽立ち等の抑制に対して十分な程度に抑制することで、第１ローラー１６が搬送ベルト１２やその表面の粘着剤などに悪影響を及ぼすことを抑制することができる。
【００５２】
また、第２ローラー１７の表面は、フッ素樹脂又はシリコーンを含む材料からなる。
第２ローラー１７は、従来と同様に耐久性と搬送ベルト１２や粘着剤に対する影響の抑制とを重視した材質とし、その下流側に第１ローラー１６を配置して毛羽立ち等の抑制を行うので、第１ローラー１６のみでしわや浮き上がりの抑制と毛羽立ち等の抑制を両立させるよりも長期間にわたり各ローラーの表面や搬送面を良好に保つことができるので、効率がよい。
【００５３】
また、搬送ベルト１２の記録媒体Ｍが載置される搬送面には、当該記録媒体Ｍを粘着させる粘着剤が塗布されている。これにより、記録媒体Ｍをより適切に搬送ベルト１２の搬送面に固定しながら搬送することができる。また、このように、特に搬送面に粘着剤が塗布されている場合に第１ローラー１６と第２ローラー１７とを併用することで、第１ローラー１６が粘着剤に対して及ぼす影響を低減させつつ、効果的に記録媒体Ｍの毛羽立ち等を抑えて搬送面に粘着させることができる。
【００５４】
また、第１ローラー１６の表面は、ナイロン系樹脂素材からなる。これにより、記録媒体Ｍの毛羽立ち等を効果的に抑制しつつ、粘着剤への影響を低減させることができる。
【００５５】
また、第１ローラー１６は、自重により記録媒体Ｍを押圧するように保持されている。これにより、第１ローラー１６の構成や回転動作に係る構造を簡便に定めることができ、構造を複雑化させることによる大型化やコストの増加を抑えることができる。
【００５６】
また、搬送部１０は、第１ローラー１６による記録媒体Ｍの押圧力を調整する押圧調整部としての規制部１９４やおもりなどを備えることができる。これにより、記録媒体Ｍの種別などに応じて適切な第１ローラー１６の押圧力が異なる場合などに、容易に適切な押圧力を記録媒体Ｍに対して与えることができる。
【００５７】
また、搬送部１０は、第１ローラー１６による押圧方向とは反対向きの動きを規制する規制部１９４を備える。上述のように第１ローラー１６の押圧力は第２ローラー１７の押圧力より小さいので、記録媒体Ｍに凹凸がある場合などには、容易に跳ね上がったりしやすくなり、適切に安定した押圧力で記録媒体Ｍを押圧できなくなる場合が生じ得る。これに対して、このような上向き（押圧方向とは反対向き）の移動を抑えるように第１ローラー１６の回転軸部１６１の上側に規制部１９４を配置することで、第１ローラー１６に不要な圧力をかけずに位置の変動を抑制し、より安定して記録媒体Ｍに対して押圧力を与え続けるようにすることができる。
【００５８】
また、搬送部１０は、搬送ベルト１２の記録媒体Ｍが載置される搬送面から離隔する方向へ第１ローラー１６を退避させる退避動作部としての保持部１９３を備える。このように、記録媒体Ｍを押圧する必要がない場合には、第１ローラー１６を搬送面から離隔させることができるので、搬送面、特に粘着剤への影響を低減させることができる。また、第１ローラー１６の押圧力が記録媒体Ｍの同一位置にかかり続けることで記録媒体Ｍにダメージが生じるのを防ぐことができる。
【００５９】
退避動作部は、連動固定板１９５により第２ローラー１７と連動して第１ローラー１６を退避させる。すなわち、記録媒体Ｍを押圧する必要がない場合には、第１ローラー１６と第２ローラー１７とを一つのモーターなどの昇降機構で記録媒体Ｍから離隔させることができるので、構成が容易であり、また、制御動作も単純化することができる。
【００６０】
また、本実施形態のインクジェット記録装置１は、上述の搬送部１０と、搬送される記録媒体Ｍに対してインクを吐出する記録動作部３０と、を備える。
このように、搬送部１０を用いたインクジェット記録装置１では、記録媒体Ｍである布帛の毛羽立ち等を効果的に抑制しながら当該記録媒体Ｍの表面に適正に画像を記録させることができる。
【００６１】
なお、本発明は、上記実施の形態に限られるものではなく、様々な変更が可能である。
例えば、上記実施の形態では、第１ローラー１６と第２ローラー１７とに毛羽立ち等の抑制と浮き及びしわの除去とを振り分けて行わせることとしたが、第１ローラー１６がこれらを兼ねるものであってもよい。この場合には、必要に応じた周期で搬送面への粘着剤の塗布が行われればよい。
【００６２】
また、上記実施の形態では、第１ローラー１６の押圧力を第２ローラー１７の押圧力よりも小さくすることとしたが、必要に応じて、及び／又は粘着剤の有無や第１ローラー１６との関係性などに応じて、第１ローラー１６の押圧力が第２ローラー１７の押圧力と同等以上に大きく定められてもよい。
【００６３】
また、上記実施の形態では、搬送面に粘着剤を塗布することとしたが、必ずしも粘着剤を用いて布帛を搬送面に固定しなくてもよい。特に固定する構成を有しなくてもよいし、あるいは、静電気や空気の流れなどによって浮き上がりを抑制するものであってもよい。
【００６４】
また、上記実施の形態では、第１ローラー１６としてナイロン系樹脂素材を例示し、第２ローラー１７としてフッ素樹脂又はシリコーンを例示したが、これに限られるものではない。各種布帛と同極の摩擦帯電極性を有する、すなわち、帯電列で紙よりも正の側の部材としては、例えば、アルミニウムやガラス繊維などが含まれる。
【００６５】
また、上記実施の形態では、無端状の搬送ベルト１２を例に挙げて説明したが、搬送ベルト１２に切れ目がある場合を除外するものではない。また、搬送部１０による搬送対象の布帛は、連続的につながったものに限られず、先に裁断、縫製などがなされたものが各々所定の間隔で搬送されてもよい。この場合、搬送ベルト１２も各布帛の搬送間隔で断続的に搬送面を有するものであってもよい。
【００６６】
また、毛羽立ち等の抑制が不要な記録媒体を搬送する場合には、第１ローラー１６を外して搬送部１０を利用することができる。あるいは、重量などの異なる複数の第１ローラー１６を備え、記録媒体Ｍの種別に応じて付け替えられてもよい。
その他、上記実施の形態で示した構成、構造や材質などの具体的な細部は、本発明の趣旨を逸脱しない範囲において適宜変更可能である。
【符号の説明】
【００６７】
１     インクジェット記録装置
１０   搬送部
１１   駆動ローラー
１２   搬送ベルト
１３   従動ローラー
１４   搬送モーター
１６   第１ローラー
１６１ 回転軸部
１７   第２ローラー
１７１ 回転軸部
１８   第３ローラー
１９１ 支持部
１９２、１９２ａ     腕部
１９３ 保持部
１９４ 規制部
１９５ 連動固定板
３０   記録動作部
５０   剥離動作部
５１   剥離ローラー
５２   剥離モーター
Ｍ     記録媒体
【図１】
2020015611.tif 000003
【図２】
2020015611.tif 000004
【図３】
2020015611.tif 000005